(57)【要約】      （修正有）【課題】ＣＳＶファイルの内容の妥当性を容易に確認するエンジニアリング作業装置を提供する。【解決手段】監視制御対象のデバイスを動作させるＪＯＢデータを格納するＪＯＢデータ格納手段１１と、デバイスのオブジェクト情報が記述されたＣＳＶファイルを受取るＣＳＶファイル受取り手段１２と、受取られたＣＳＶファイルに対して読込み処理を行い、自機で監視制御する管理ポイントを自動作成する管理ポイント自動作成手段１３と、受取られたＣＳＶファイルの内容と、自動作成された管理ポイントとを示す一覧表示画面を表示する一覧表示手段１４と、自動作成された管理ポイントに対して確定指示を受付ける操作受付け手段１５と、管理ポイントの確定指示が受付けられた場合に、当該管理ポイントを示す情報をＪＯＢデータ格納手段１１に格納することで、ＪＯＢデータを更新するＪＯＢデータ更新手段１６とを備えた。【選択図】図１
2015211441.tif 000002
【特許請求の範囲】
【請求項１】
監視制御対象のデバイスを動作させるＪＯＢデータを格納するＪＯＢデータ格納手段と、
前記デバイスのオブジェクト情報が記述されたＣＳＶファイルを受取るＣＳＶファイル受取り手段と、
前記ＣＳＶファイル受取り手段により受取られたＣＳＶファイルに対して読込み処理を行い、自機で監視制御する管理ポイントを自動作成する管理ポイント自動作成手段と、
前記ＣＳＶファイル受取り手段により受取られたＣＳＶファイルの内容と、前記管理ポイント自動作成手段により当該ＣＳＶファイルから自動作成された管理ポイントとを示す一覧表示画面を表示する一覧表示手段と、
前記管理ポイント自動作成手段により自動作成された管理ポイントに対して確定指示を受付ける操作受付け手段と、
前記操作受付け手段により管理ポイントの確定指示が受付けられた場合に、当該管理ポイントを示す情報を前記ＪＯＢデータ格納手段に格納することで、前記ＪＯＢデータを更新するＪＯＢデータ更新手段と
を備えたエンジニアリング作業装置。
【請求項２】
監視制御対象のデバイスのオブジェクト情報が記述されたＣＳＶファイルを受取るＣＳＶファイル受取りステップと、
前記ＣＳＶファイル受取りステップにおいて受取ったＣＳＶファイルに対して読込み処理を行い、自機で監視制御する管理ポイントを自動作成する管理ポイント自動作成ステップと、
前記ＣＳＶファイル受取りステップにおいて受取ったＣＳＶファイルの内容と、前記管理ポイント自動作成ステップにおいて当該ＣＳＶファイルから自動作成した管理ポイントとを示す一覧表示画面を表示する一覧表示ステップと、
前記管理ポイント自動作成ステップにおいて自動作成した管理ポイントに対して確定指示を受付ける操作受付けステップと、
前記操作受付けステップにおいて管理ポイントの確定指示を受付けた場合に、当該管理ポイントを示す情報を、前記デバイスを動作させるＪＯＢデータを格納するＪＯＢデータ格納手段に格納することで、当該ＪＯＢデータを更新するＪＯＢデータ更新ステップと
を有するエンジニアリング作業装置。
【発明の詳細な説明】
【技術分野】
【０００１】
この発明は、ＣＳＶ（Ｃｏｍｍａ  Ｓｅｐａｒａｔｅｄ  Ｖａｌｕｅｓ）ファイルを読込んで管理ポイントを自動作成するエンジニアリング作業装置及びエンジニアリング作業方法に関するものである。
【背景技術】
【０００２】
あるベンダー（Ａ社）の監視システムが異なるベンダー（Ｂ社）のデバイス（制御装置等）をＢＡＣｎｅｔ通信を用いて監視制御する場合、Ａ社はＢ社のデバイスのオブジェクト情報を認識し、このオブジェクト情報を元にＢ社のデバイスの監視制御を行う。このような監視制御を可能とするため、オブジェクト情報はＣＳＶファイルに記述し、このＣＳＶファイルを他社に渡すことが電気設備学会により決められている。そして、Ａ社では、Ｂ社から受取ったＣＳＶファイルを自身のエンジニアリング作業装置に読込んで、管理ポイントを自動作成することで、Ｂ社のデバイスを監視制御する監視システムを構築する（例えば特許文献１参照）。
【０００３】
従来のエンジニアリング作業装置による管理ポイントの自動作成動作では、図５に示すように、まず、ＣＳＶファイル１０１を受取ると、そのＣＳＶファイル１０１の内容を示す画面（ＣＳＶ表示画面１０２）をモニタ上に表示する。その後、ユーザによる指示に応じて、ＣＳＶファイル１０１の読込み処理を実行して管理ポイントを自動作成する。この読込み処理が完了すると、自動作成した管理ポイントを示す情報をＪＯＢデータに格納する。その後、ＣＳＶ表示画面１０２を消して、管理ポイントを示す画面（管理ポイント表示画面１０３）を表示する。なお、読込み処理では、オブジェクトタイプとポイントタイプの関連付け規則に従い、自動作成する管理ポイントのポイントタイプを決定している。
【先行技術文献】
【特許文献】
【０００４】
【特許文献１】特開２０１１−９７４３０号公報
【発明の概要】
【発明が解決しようとする課題】
【０００５】
しかしながら、従来のエンジニアリング作業装置では、ＣＳＶファイル１０１の読込み処理を行う前では、ＣＳＶファイル１０１上の各オブジェクト情報から自動作成される管理ポイントを確認できないという課題がある。すなわち、ＣＳＶ表示画面１０２だけでは、どんな管理ポイントが作成されるかを直感的に判断することができず、読込み処理を行う前にＣＳＶファイル１０１の内容の妥当性を確認することが困難である。
また、例えば、管理ポイント表示画面１０３をユーザが見て管理ポイントに誤りがあることを発見し、ＣＳＶファイル１０１の記述内容を確認したところ、記述ミスがあったとする。この場合、誤った管理ポイントはＪＯＢデータに既に格納されてしまっているため、ＪＯＢデータの修正が避けられないという課題がある。
【０００６】
この発明は、上記のような課題を解決するためになされたもので、ＣＳＶファイルの内容の妥当性を容易に確認することができるエンジニアリング作業装置及びエンジニアリング作業方法を提供することを目的としている。
【課題を解決するための手段】
【０００７】
この発明に係るエンジニアリング作業装置は、監視制御対象のデバイスを動作させるＪＯＢデータを格納するＪＯＢデータ格納手段と、デバイスのオブジェクト情報が記述されたＣＳＶファイルを受取るＣＳＶファイル受取り手段と、ＣＳＶファイル受取り手段により受取られたＣＳＶファイルに対して読込み処理を行い、自機で監視制御する管理ポイントを自動作成する管理ポイント自動作成手段と、ＣＳＶファイル受取り手段により受取られたＣＳＶファイルの内容と、管理ポイント自動作成手段により当該ＣＳＶファイルから自動作成された管理ポイントとを示す一覧表示画面を表示する一覧表示手段と、管理ポイント自動作成手段により自動作成された管理ポイントに対して確定指示を受付ける操作受付け手段と、操作受付け手段により管理ポイントの確定指示が受付けられた場合に、当該管理ポイントを示す情報をＪＯＢデータ格納手段に格納することで、ＪＯＢデータを更新するＪＯＢデータ更新手段とを備えたものである。
【０００８】
また、この発明に係るエンジニアリング作業方法は、監視制御対象のデバイスのオブジェクト情報が記述されたＣＳＶファイルを受取るＣＳＶファイル受取りステップと、ＣＳＶファイル受取りステップにおいて受取ったＣＳＶファイルに対して読込み処理を行い、自機で監視制御する管理ポイントを自動作成する管理ポイント自動作成ステップと、ＣＳＶファイル受取りステップにおいて受取ったＣＳＶファイルの内容と、管理ポイント自動作成ステップにおいて当該ＣＳＶファイルから自動作成した管理ポイントとを示す一覧表示画面を表示する一覧表示ステップと、管理ポイント自動作成ステップにおいて自動作成した管理ポイントに対して確定指示を受付ける操作受付けステップと、操作受付けステップにおいて管理ポイントの確定指示を受付けた場合に、当該管理ポイントを示す情報を、デバイスを動作させるＪＯＢデータを格納するＪＯＢデータ格納手段に格納することで、当該ＪＯＢデータを更新するＪＯＢデータ更新ステップとを有するものである。
【発明の効果】
【０００９】
この発明によれば、上記のように構成したので、ＣＳＶファイルの内容の妥当性を容易に確認することができる。
【図面の簡単な説明】
【００１０】
【図１】この発明の実施の形態１に係るエンジニアリング作業装置の構成を示す図である。
【図２】この発明の実施の形態１に係るエンジニアリング作業装置による管理ポイントの自動作成動作を示すフローチャートである。
【図３】この発明の実施の形態１に係るエンジニアリング作業装置による管理ポイントの自動作成動作手順を示す図である。
【図４】この発明の実施の形態１に係るエンジニアリング作業装置による一覧表示画面の一例を示す図である。
【図５】従来のエンジニアリング作業装置による管理ポイントの自動作成動作手順を示す図である。
【発明を実施するための形態】
【００１１】
以下、この発明の実施の形態について図面を参照しながら詳細に説明する。
実施の形態１．
図１はこの発明の実施の形態１に係るエンジニアリング作業装置１の構成を示す図である。
エンジニアリング作業装置１は、オープンネットワーク（例えばＢＡＣｎｅｔ、Ｍｏｄｂｕｓ等）に接続されたデバイス（不図示）の監視制御を行う監視システムを構築するものである。このエンジニアリング作業装置１の管理ポイントの自動作成機能は、図１に示すように、ＪＯＢデータ格納手段１１、ＣＳＶファイル受取り手段１２、管理ポイント自動作成手段１３、一覧表示手段１４、操作受付け手段１５、ＪＯＢデータ更新手段１６及び管理ポイント表示手段１７から構成されている。
【００１２】
ＪＯＢデータ格納手段１１は、オープンネットワークを介して異なるベンダーのデバイスを監視制御する場合において、監視制御対象のデバイスを動作させるＪＯＢデータを格納するものである。
【００１３】
ＣＳＶファイル受取り手段１２は、監視制御対象のデバイスのオブジェクト情報が記述されたＣＳＶファイル１０１を受取るものである。なお、ＣＳＶファイル１０１は、予め定められた規約に基づいて作成されたファイルである。
【００１４】
管理ポイント自動作成手段１３は、ＣＳＶファイル受取り手段１２により受取られたＣＳＶファイル１０１に対して読込み処理を行い、自機で監視制御する管理ポイントを自動で作成するものである。
【００１５】
一覧表示手段１４は、ＣＳＶファイル受取り手段１２により受取られたＣＳＶファイル１０１の内容と、管理ポイント自動作成手段１３により当該ＣＳＶファイル１０１から自動作成された管理ポイントとを示す一覧表示画面１０４をモニタ（不図示）上に表示するものである。
【００１６】
操作受付け手段１５は、一覧表示手段１４によりモニタ上に一覧表示画面１０４が表示された後、管理ポイント自動作成手段１３により自動作成された管理ポイントに対して、ユーザによる確定指示を受付けるものである。
【００１７】
ＪＯＢデータ更新手段１６は、操作受付け手段１５により管理ポイントの確定指示が受付けられた場合に、当該管理ポイントを示す情報をＪＯＢデータ格納手段１１に格納することで、ＪＯＢデータを更新するものである。
【００１８】
管理ポイント表示手段１７は、ＪＯＢデータ更新手段１６によるＪＯＢデータの更新に用いられた管理ポイントを示す画面（管理ポイント表示画面１０３）をモニタ上に表示するものである。
【００１９】
次に、上記のように構成されたエンジニアリング作業装置１の動作について、図２〜４を参照しながら説明する。なお、ＪＯＢデータ格納手段１１は、監視制御対象のデバイスを動作させるＪＯＢデータが格納されている。
エンジニアリング作業装置１の動作では、図２，３に示すように、まず、ＣＳＶファイル受取り手段１２は、監視制御対象のデバイスのオブジェクト情報が記述されたＣＳＶファイル１０１を受取る（ステップＳＴ１、ＣＳＶファイル受取りステップ）。
【００２０】
次いで、管理ポイント自動作成手段１３は、ＣＳＶファイル受取り手段１２により受取られたＣＳＶファイル１０１に対して読込み処理を行い、自機で監視制御する管理ポイントを自動で作成する（ステップＳＴ２、管理ポイント自動作成ステップ）。
【００２１】
次いで、一覧表示手段１４は、ＣＳＶファイル受取り手段１２により受取られたＣＳＶファイル１０１の内容と、管理ポイント自動作成手段１３により当該ＣＳＶファイル１０１から自動作成された管理ポイントとを示す一覧表示画面１０４をモニタ上に表示する（ステップＳＴ３、一覧表示ステップ）。具体的には、例えば図４に示すような一覧表示画面１０４が表示される。図４において右側がＣＳＶファイル１０１の内容を示す画面（ＣＳＶ表示画面１０２）であり、左側が当該ＣＳＶファイル１０１から自動作成された管理ポイントを示す画面（管理ポイント表示画面１０３）である。これにより、ユーザはＣＳＶファイル１０１の内容と自動作成された管理ポイントとを見比べることができ、ＣＳＶファイル１０１の内容の妥当性を容易に確認することができる。
【００２２】
次いで、操作受付け手段１５は、管理ポイント自動作成手段１３により自動作成された管理ポイントに対して、ユーザによる確定指示を受付けたかを判断する（ステップＳＴ４、操作受付けステップ）。この際、ユーザは、例えば図４に示す一覧表示画面１０４上の確定ボタンを選択することで確定指示を行う。
【００２３】
ここで、ユーザが管理ポイントを編集したい場合（ステップＳＴ４‘ＮＯ’）には、不図示の編集ボタンを押下する等して、シーケンスがステップＳＴ３に戻る。そして、このステップＳＴ３において、一覧表示手段１４は、ユーザが画面上の値を編集できる機能を有する一覧表示画面１０４をモニタ上に表示する。これにより、ユーザは、一覧表示画面１０４上の値を編集することができる。
【００２４】
一方、ステップＳＴ４において、操作受付け手段１５が管理ポイントの確定指示を受付けた場合には、ＪＯＢデータ更新手段１６は、当該管理ポイントを示す情報をＪＯＢデータ格納手段１１に格納することで、ＪＯＢデータを更新する（ステップＳＴ５、ＪＯＢデータ更新ステップ）。
【００２５】
次いで、管理ポイント表示手段１７は、ＪＯＢデータ更新手段１６によるＪＯＢデータの更新に用いられた管理ポイントを示す画面（管理ポイント表示画面１０３）をモニタ上に表示する（ステップＳＴ６、管理ポイント表示ステップ）。
【００２６】
以上のように、この実施の形態１によれば、エンジニアリング作業装置１のユーザに対して、ＣＳＶファイル１０１の内容と自動作成した管理ポイントと一覧表示するように構成したので、ＣＳＶファイル１０１の内容の妥当性を容易に確認することができる。
【００２７】
なお上記では、ＪＯＢデータの更新のための確定指示を、ＣＳＶファイル１０１毎に行う場合を例にして説明を行った。しかしながら、これに限るものではなく、例えば管理ポイント又はオブジェクト情報毎に確定指示を行うようにしてもよい。これにより、ＣＳＶファイル１０１内の任意の情報を選んでＪＯＢデータを更新することができる。また、既にＣＳＶファイル１０１の読込みを行ったデバイスにおいてＣＳＶファイル１０１がさらに変更された場合に、このＣＳＶファイル１０１を再度読込む際にＪＯＢデータを更新する箇所を選択したいというニーズに応えることができる。
【００２８】
また、本願発明はその発明の範囲内において、実施の形態の任意の構成要素の変形、もしくは実施の形態の任意の構成要素の省略が可能である。
【符号の説明】
【００２９】
１  エンジニアリング作業装置
１１  ＪＯＢデータ格納手段
１２  ＣＳＶファイル受取り手段
１３  管理ポイント自動作成手段
１４  一覧表示手段
１５  操作受付け手段
１６  ＪＯＢデータ更新手段
１７  管理ポイント表示手段
１０１  ＣＳＶファイル
１０２  ＣＳＶ表示画面
１０３  管理ポイント表示画面
１０４  一覧表示画面
【図１】
2015211441.tif 000003
【図２】
2015211441.tif 000004
【図３】
2015211441.tif 000005
【図４】
2015211441.tif 000006
【図５】
2015211441.tif 000007